(57)【要約】 【課題】  使用者が安心且つ安全に昇降することができる梯子を得る。【解決手段】    最上段の踏板３０Ａは、その奥側端部３１Ａが支柱１０の奥側面部１１から奥側（階上床面側）に張り出して、２段目の踏板３０Ｂの奥側端部３１Ｂよりも支柱１０から奥側に離れている。このように、最上段の踏板３０Ａの奥側端部３１Ａと支柱１０の奥側面部１１との距離を、２段目の踏板３０Ｂの奥側端部３１Ｂと支柱１０の奥側面部１１との距離よりも長くする。【選択図】  図２
2019190211.tif 000002
【特許請求の範囲】
【請求項１】
２本の支柱と、該支柱間に所定間隔おきに架設された複数の踏板とを備えた梯子であって、
昇降する側を前側とし、反対側を奥側とし、
最上段の踏板は、その奥側端部が前記支柱よりも奥側に張り出しており、
最上段の踏板の奥側端部は、上から２段目の踏板の奥側端部よりも支柱から奥側に離れていることを特徴とする梯子。
【請求項２】
前記複数の踏板の両側端部には、前記支柱への固定用のネジが螺合される第１螺合部及び第２螺合部が奥行き方向に離れて設けられ、
前記２段目の踏板は、第１螺合部を前側に第２螺合部を奥側に位置させた状態で前記支柱に取り付けられ、
前記最上段の踏板は、第２螺合部を前側に第１螺合部を奥側に位置させた状態で前記支柱に取り付けられ、
前記最上段の踏板の奥側端部から第１螺合部までの距離は、前記２段目の踏板の奥側端部から第２螺合部までの距離よりも長くされていることを特徴とする請求項１に記載の梯子。
【請求項３】
前記２段目の踏板において、上面を第１踏面とし、下面を第２踏面とし、
前記最上段の踏板は、第２踏面を上向きにし、第１踏面を下向きにした状態で前記支柱に取り付けられていることを特徴とする請求項２に記載の梯子。
【請求項４】
前記複数の踏板の両側端部には、前記支柱への固定用のネジが螺合される前側螺合部、中間螺合部及び奥側螺合部が、奥行き方向に所定間隔をおいて設けられ、
前記２段目の踏板は、中間螺合部と奥側螺合部とにネジが螺合され前記支柱に取り付けられ、
前記最上段の踏板は、前側螺合部と中間螺合部とにネジが螺合され前記支柱に取り付けられていることを特徴とする請求項１に記載の梯子。
【発明の詳細な説明】
【技術分野】
【０００１】
本発明は、ロフトや屋根裏等へ行き来するのに使用する梯子に関するものである。
【背景技術】
【０００２】
建物の内部空間を有効活用するために、中二階を収納スペースとして利用するためのロフトや、天井を物置として利用するための屋根裏を設けた建物が多く建設されている。このようなロフトや屋根裏（本発明ではこれらを「階上」と総称する。）においては、階上と階下との間を行き来するために梯子が用いられている。
その種の梯子は、特許文献１に記載のように、２本の支柱と、該支柱間に所定間隔おきに架設された複数の踏板とを備えており、階上に傾斜した状態で立てかけられて使用される。
【先行技術文献】
【特許文献】
【０００３】
【特許文献１】特開２００２−２４２５６９号公報
【発明の概要】
【発明が解決しようとする課題】
【０００４】
そのような梯子においては、狭い空間でも使用できるように、一般的な階段よりもかなり急勾配となっており、特に小さな子供や老人等にとって昇降しづらいものとなっている。
そこで、梯子の勾配（傾斜角度）を緩やかにする方法が考えられるが、梯子の勾配を緩やかにすると、降段時に、階上床面から１段目（最上段）の踏板が遠くなってしまうため、階上床面から１段目に降りる際に不安感を抱いてしまう。
【０００５】
また、階上に傾斜した状態で立てかけられて使用する梯子においては、階上床面と梯子の踏板の隙間から階下の床面が見えるため、ロフトが高い位置に設けられているなど階上が高い場合には、高所から下方を見ることによって恐怖感を抱くことになり、精神的緊張を強いられつつ階下へ降りることになる。
【０００６】
本発明の目的は、使用者が安心且つ安全に昇降することができ梯子を提供することにある。
【課題を解決するための手段】
【０００７】
上記の目的を達成するために、本発明の第１の特徴は、２本の支柱と、該支柱間に所定間隔おきに架設された複数の踏板とを備えた梯子であって、昇降する側を前側とし、反対側を奥側とし、最上段の踏板は、その奥側端部が支柱よりも奥側に張り出しており、最上段の踏板の奥側端部は、２段目の踏板の奥側端部よりも支柱から奥側に離れていることにある。
【０００８】
第１の特徴によれば、最上段の踏板の奥側端部を支柱よりも奥側（階上床面側）に張り出させることにより、階上床面の端縁部から最上段の踏板が近くなるため、階上床面から最上段（１段目）に降りる際の踏み外しを低減することができる。
また、最上段の踏板の奥側端部が支柱よりも奥側に張り出しているので、階上床面の端縁部と最上段の踏板との間隔が狭くなり、階上床面と踏板の隙間から階下の床面が見えづらくなるため、階上床面から降りる際に恐怖感を抱くことなく、安心して降段することができる。
【０００９】
第２の特徴は、複数の踏板の両側端部には、支柱への固定用のネジが螺合される第１螺合部及び第２螺合部が奥行き方向に離れて設けられ、２段目の踏板は、第１螺合部を前側に第２螺合部を奥側に位置させた状態で支柱に取り付けられ、最上段の踏板は、第２螺合部を前側に第１螺合部を奥側に位置させた状態で支柱に取り付けられ、最上段の踏板の奥側端部から第１螺合部までの距離は、２段目の踏板の奥側端部から第２螺合部までの距離よりも長くされていることにある。
【００１０】
第２の特徴によれば、最上段の踏板と２段目の踏板に同じ踏板を用いて、最上段の踏板の奥側端部を、２段目の踏板の奥側端部よりも支柱から奥側に離すことができる。
【００１１】
第３の特徴は、２段目の踏板において、上面を第１踏面とし、下面を第２踏面とし、
最上段の踏板は、第２踏面を上向きにし、第１踏面を下向きにした状態で前記支柱に取り付けられていることにある。
【００１２】
第３の特徴によれば、左右方向を回転軸として踏板の上面と下面をひっくり返すことにより、最上段の踏板と２段目の踏板に同じ踏板を用いることができので、最上段の踏板を別個に用意する必要がなく、部品点数を削減することができる。
【００１３】
第４の特徴は、複数の踏板の両側端部には、支柱への固定用のネジが螺合される螺合部、中間螺合部及び奥側螺合部が、奥行き方向に所定間隔をおいて設けられ、２段目の踏板は、中間螺合部と奥側螺合部とにネジが螺合され前記支柱に取り付けられ、最上段の踏板は、前側螺合部と中間螺合部とにネジが螺合され前記支柱に取り付けられていることにある。
【００１４】
第４の特徴によれば、同一の踏板を支柱に対して奥行き方向にずらして取り付けることにより、最上段の踏板と２段目の踏板に同じ踏板を用いることができので、最上段の踏板を別個に用意する必要がなく、部品点数を削減することができる。
【発明の効果】
【００１５】
本発明によれば、階上床面と最上段（１段目）の踏板とが近くなるので、最上段の踏板から階上床面への昇段や階上床面から最上段の踏板への降段が容易になり、使用者が安心且つ安全に梯子を昇降することができる。
【図面の簡単な説明】
【００１６】
【図１】本発明に係る梯子の第１実施例を示す斜視図である。
【図２】第１実施例の側面図である。
【図３】第１実施例における支柱と最上段の踏板との取付状態を示す説明図である。
【図４】第１実施例における踏板と支柱形材を示す分解斜視図である。
【図５】第１実施例の変形例を示す分解斜視図である。
【図６】第２実施例における踏板と支柱形材を示す分解斜視図である。
【００１７】
以下、本発明に係る梯子を実施するための形態を、図面を参照して詳細に説明する。なお、以下の実施の形態においては、梯子１の昇降する側を前側とし、反対側を奥側として説明する。
＜第１実施例＞
先ずは、第１実施例について、図１から図４を参照して説明する。梯子１は、ロフトや屋根裏の階上とその階下とを行き来するのに使用する梯子の例である。梯子１は、二本の支柱１０と、該支柱１０間に所定間隔おきに架設された複数の踏板３０とを備えている。図１及び図２に示すように、本実施形態は、支柱１０間に同一の踏板３０が９段架設されている。３０Ａは最上段の踏板であり、３０Ｂは２段目の踏板である。最上段の踏板３０Ａは、その奥側端部３１Ａが支柱１０よりも奥側に張り出している。
【００１８】
支柱１０には、その奥側面部１１の上部に上側フック１２と下側フック１３が上下２段に設けられている。梯子１は、上側フック１２を階上床面の端縁部に設けられた係止孔１４に係止させ、支柱１０の下端を階下の床面に設置させることにより、傾斜した状態で立てかけられる。また、支柱１０の上部には、使用者が昇降する際に手で掴む手すり１５が設けられている。支柱１０の上端には上端カバー１６が設けられ、下端には下端カバー１７が設けられている。
【００１９】
支柱１０は、図３に示すように、外側が開放した断面略コ字状の支柱形材１８と、該支柱形材１８の開放部分を塞ぐ支柱カバー１９とを備えている。
支柱形材１８は、アルミニウムまたはアルミニウム合金等の金属製材料を押し出し成形することによって形成される。支柱形材１８には、踏板固定用孔２１Ａ，２１Ｂが、踏板３０の設置段数にあわせて穿設されている。踏板固定用孔２１Ａ，２１Ｂは、踏板３０を固定するためのネジ２０が挿通されるものであり、梯子１を傾斜した状態に立てかけたときに、階下の床面と略水平となる方向に並列して穿設されている。
【００２０】
踏板３０は、中空板状であり、アルミニウムまたはアルミニウム合金等の金属製材料を押し出し成形し、それを所要寸法に切断して形成される。
踏板３０は、左右方向を回転軸として上下にひっくり返すことにより最上段の踏板３０Ａ及び２段目の踏板３０Ｂとして利用できるようになっている。具体的には、２段目の踏板３０Ｂにおいて、上面を第１踏面３２とし、下面を第２踏面３３とすると、最上段の踏板３０Ａは、第２踏面３３を上向きにし、第１踏面３２を下向きにした状態で取り付けられる。踏板３０の第１踏面３２と第２踏面３３には、滑り止めのための溝３４が幅方向に沿って形成されている。なお、本実施例の踏板３０は、外観が点対称に形成されているが、最上段と２段目とのどちらにも利用できれば、外観が非対称に形成されていてもよい。
【００２１】
図２に示すように、２段目の踏板３０Ｂは、その奥側端部３１Ｂが支柱１０の奥側面部１１の近傍に位置する（３段目以降の踏板３０も同様である）。これに対して、最上段の踏板３０Ａは、その奥側端部３１Ａが支柱１０の奥側面部１１から奥側に大きく突き出して、２段目の踏板３０Ｂの奥側端部３１Ｂよりも支柱１０から奥側に離れている。このように、最上段の踏板３０Ａは、その奥側端部３１Ａと支柱１０の奥側面部１１との距離が、２段目の踏板３０Ｂの奥側端部３１Ｂと支柱１０の奥側面部１１との距離よりも長くされている。
また、最上段の踏板３０Ａは、その前側端部４１Ａが支柱１０の前側面部２２の近傍に位置する。これに対して、２段目の踏板３０Ｂは、その前側端部４１Ｂが支柱１０の前側面部２２から前側に大きく突き出して、最上段の踏板３０Ａの前側端部４１Ａよりも支柱１０の前側面部２２から前側に離れている（３段目以降の踏板３０も同様である）。
【００２２】
踏板３０の内部には、踏板３０の上下に伸びる第１リブ３５及び第２リブ３６が踏板３０の幅方向に連続して設けられており、第１リブ３５と第２リブ３６により踏板３０の内部が３室に区画されている。図４に示す２段目の踏板３０Ｂにおいては、第１リブ３５は、奥行き方向の中間近傍に設けられており、第２リブ３６は、奥側端部３１Ｂの近傍に設けられている。
【００２３】
また、踏板３０の内部には、踏板３０の幅方向に連続する第１ビスホール３７及び第２ビスホール３８が設けられている。図４に示す２段目の踏板３０Ｂにおいては、第１ビスホール３７は、第１リブ３５と下面が交わる位置に設けられており、第２ビスホール３８は、第２リブ３６と上面が交わる位置に設けられている。第１ビスホール３７と第２ビスホール３８との距離は、２つの踏板固定用孔２１Ａ，２１Ｂとの距離とほぼ等しくしている。そして、第１ビスホール３７の両側端部は、支柱１０への固定用のネジ２０が螺合される第１螺合部３９となり、第２ビスホール３８の両側端部は、支柱１０への固定用のネジ２０が螺合される第２螺合部４０となっている。
【００２４】
図４に示すように、支柱１０に取り付けられる状態の２段目の踏板３０Ｂにおいては、第１螺合部３９（第１ビスホール３７）は、奥行き方向の中間近傍の位置にあり、第２螺合部４０（第２ビスホール３８）は、奥行き方向の奥側、即ち奥側端部３１Ｂの近傍の位置にある。そして、最上段の踏板３０Ａにおいては、前記２段目の踏板３０Ｂの状態から左右方向を回転軸として上下にひっくり返した状態で支柱１０に取り付けられるため、第１螺合部３９は、奥行き方向の中間近傍の位置にあり、第２螺合部４０は、奥行き方向の前側、即ち前側端部４１Ａの近傍の位置にある。２段目の踏板３０Ｂにおいては、奥側端部３１Ｂからその最寄りにある第２螺合部４０までの距離が、前側端部４１Ｂからその最寄りにある第１螺合部３９までの距離よりも短くなっている。これに対して、最上段の踏板３０Ａは、奥側端部３１Ａからその最寄りにある第１螺合部３９までの距離が、前側端部４１Ａからその最寄りにある第２螺合部４０までの距離よりも長くなっている。したがって、最上段の踏板３０Ａにおいては、最上段の踏板３０Ａの奥側端部３１Ａから第１螺合部３９までの距離が、２段目の踏板３０Ｂの奥側端部３１Ｂから第２螺合部４０までの距離よりも長くなっている。
【００２５】
踏板３０の両側端部には、踏板３０の開口部を塞ぐ踏板キャップ４２が装着されている。踏板キャップ４２には、支柱固定用のネジ２０を挿通するネジ挿通孔４３が第１螺合部３９及び第２螺合部４０と対応する位置に設けられている。本実施例では、何れの踏板３０の両側端部にも踏板キャップ４２を用いることができるよう、４つのネジ挿通孔４３が踏板キャップ４２に設けられている。
【００２６】
次に、第１実施例における踏板を梯子の最上段と２段目に取り付ける状態について、図４を参照して説明する。なお、３段目以降の踏板３０の取り付けは、２段目の踏板３０Ｂと同様であるため説明を省略する。
２段目の踏板３０Ｂは、前側の踏板固定用孔２１Ａから第１螺合部３９にネジ２０が螺合され、奥側の踏板固定用孔２１Ｂから第２螺合部４０にネジ２０が螺合されて、第１螺合部３９を前側に第２螺合部４０を奥側に位置させた状態で支柱形材１８に取り付けられる。このようにして取り付けられた２段目の踏板３０Ｂおいては、上面が第１踏面３２となり、下面が第２踏面３３となっている。
【００２７】
そして、最上段の踏板３０Ａは、第２踏面３３を上向きにし、第１踏面３２を下向きにした状態で、前側の踏板固定用孔２１Ａから第２螺合部４０にネジ２０が螺合され、奥側の踏板固定用孔２１Ｂから第１螺合部３９にネジ２０が螺合されて、第２螺合部４０を前側に第１螺合部３９を奥側に位置させた状態で支柱形材１８に取り付けられる。
上記最上段の踏板３０Ａは、その奥側端部３１Ａが支柱１０よりも奥側に張り出しており、最上段の踏板３０Ａの奥側端部３１Ａは、２段目の踏板３０Ｂの奥側端部３１Ｂよりも支柱１０から奥側に離れた位置となる。
【００２８】
以上のように構成された梯子１においては、最上段の踏板３０Ａの奥側端部３１Ａが支柱１０よりも奥側に張り出しているので、階上床面の端縁部から最上段の踏板３０Ａが近くなり、階上床面から最上段の踏板３０Ａに降りる際の踏み外しを低減することができる。
また、階上床面の端縁部から最上段の踏板３０Ａが近くなるため、階上床面の端縁部と最上段の踏板３０Ａの奥側端部３１Ａとの隙間から階下の床面が見えづらくなり、階上床面から降りる際に恐怖感を抱くことなく、安心して降段することができる。
【００２９】
そして、第１実施例においては、左右方向を回転軸として踏板３０の上面と下面をひっくり返すことにより、最上段の踏板３０Ａと２段目の踏板３０Ｂに同じ踏板３０を用いることができるので、最上段の踏板３０Ａを別個に用意する必要がなく、部品点数を削減することができる。
また、第１実施例の踏板３０は、第１螺合部３９と第２螺合部４０の２つの螺合部で、同一の踏板３０を支柱１０に対して奥行き方向に位置をずらした状態で取り付けることができ、別途に螺合部を設ける必要がないため、踏板３０を軽量化することができる。
【００３０】
＜変形例＞
第１実施例の変形例について、図５を参照して説明する。第１実施例では、同一の踏板３０について左右方向を回転軸として上下にひっくり返すことにより、最上段の踏板３０Ａと２段目の踏板３０Ｂとのいずれにも用いている。変形例では、同一の踏板３００について上下をひっくり返さずに前後を入れ替えることにより、最上段の踏板３００Ａと２段目の踏板３００Ｂとのいずれにも用いている。
なお、上述の第１実施例では、２つの踏板固定孔２１Ａ，２１Ｂが、踏板３０毎に支柱１０の長手方向に並列して設けられているが、本変形例では、最上段の踏板３００Ａが２段目の踏板３００Ｂと平行になるよう、支柱１０における最上段用の踏板固定孔２１Ａ，２１Ｂの位置が上述の第１実施例から変更されている。
【００３１】
変形例における踏板を梯子の最上段と２段目に取り付ける状態について説明する。２段目の踏板３００Ｂは、第１踏面３２が上向きで、第１螺合部３９が前側に位置し、第２螺合部４０が奥側に位置するように配置される。そして、前側の踏板固定用孔２１Ａから第１螺合部３９にネジ２０が螺合され、奥側の踏板固定用孔２１Ｂから第２螺合部４０にネジ２０が螺合されて、２段目の踏板３００Ｂが支柱形材１８に取り付けられる。
これに対し、最上段の踏板３００Ａは、２段目の踏板３０Ｂと同様に第１踏面３２が上向きであるが、２段目の踏板３０Ｂとは前後を入れ替えられて、第２螺合部４０が前側に位置し、第１螺合部３９が奥側に位置するように配置される。そして、前側の踏板固定用孔２１Ａから第２螺合部４０にネジ２０が螺合され、奥側の踏板固定用孔２１Ｂから第１螺合部３９にネジ２０が螺合されて支柱形材１８に取り付けられる。
このように、変形例の踏板３００は、踏面として使用するのが上面（第１踏面３２）のみであるため、第１実施例よりも下面側（第２踏面３３側）の形状を自由に設計することができる。
【００３２】
＜第２実施例＞
第２実施例について、図６を参照して説明する。第２実施例の梯子は、上記第１実施例と踏板以外において変わるところがないため、以下、第１実施例と異なる踏板を中心に説明することとし、第１実施例と同一の構成については同一の符号を付し、その詳細は第１実施例の説明を援用する。第２実施例においては、図３に示す踏板３０に代えて、図６に示す踏板５０が用いられる。
図６中、５０Ａは最上段の踏板であり、５０Ｂは２段目の踏板である。最上段の踏板５０Ａと２段目の踏板５０Ｂは、同一の踏板５０が用いられる。各踏板５０の上面には、滑り止めのための溝５１が幅方向に沿って形成されている。
【００３３】
踏板５０の内部には、上下に伸びる３つリブが踏板５０の幅方向に連続して設けられている。３つのリブのうち、前側端部５２の近傍に位置するのが前側リブであり、奥行方向の中間部にするのが中間リブであり、奥側端部の近傍に位置するのが奥側リブである。また、前側リブ、中間リブ及び奥側リブには、それぞれ前側ビスホール５４、中間ビスホール５５及び奥側ビスホール５６が踏板５０の幅方向に連続して設けられている。
【００３４】
各踏板５０内部の両側端部には、ネジ２０が螺合される前側螺合部５７、中間螺合部５８及び奥側螺合部５９が設けられている。本実施例では、前側ビスホール５４の両側端部が前側螺合部５７となり、中間ビスホール５５の両側端部が中間螺合部５８となり、奥側ビスホール５６の両側端部が奥側螺合部５９となっている。
前側螺合部５７から中間螺合部５８までの距離と、中間螺合部５８から奥側螺合部５９までの距離とをほぼ等しくしている。また、前側螺合部５７から中間螺合部５８までの距離及び中間螺合部５８から奥側螺合部５９までの距離は、２つの踏板固定用孔２１Ａ，２１Ｂとの距離とほぼ等しくしている。
【００３５】
踏板５０の両側端部には、踏板５０の開口部を塞ぐ踏板キャップ６０が装着されている。踏板キャップ６０には、ネジ２０を挿通するネジ挿通孔６１が前側螺合部５７と中間螺合部５８、または中間螺合部５８と奥側螺合部５９に対応する位置に設けられている。また、踏板キャップ６０は、前後の向きを入れ替えることにより何れの踏板５０にも装着することが可能である。
【００３６】
次に、第２実施例における踏板を梯子の最上段と２段目に取り付ける状態について説明する。２段目の踏板５０Ｂは、前側の踏板固定用孔２１Ａから中間螺合部５８にネジ２０が螺合され、奥側の踏板固定用孔２１Ｂから奥側螺合部５９にネジ２０が螺合されて支柱形材１８に取り付けられる。また、２段目の踏板５０Ｂは、奥側端部５３が支柱１０の奥側面部１１の近傍に位置し、前側端部５２が支柱１０の前側面部２２から前側に大きく突き出している。
そして、最上段の踏板５０Ａは、前側の踏板固定用孔２１Ａから前側螺合部５７にネジ２０が螺合され、奥側の踏板固定用孔２１Ｂから中間螺合部５８にネジ２０が螺合されて支柱形材１８に取り付けられる。また、最上段の踏板５０Ａは、奥側端部５３が支柱１０の奥側面部１１から奥側に大きく突き出し、前側端部５２が支柱１０の前側面部２２の近傍に位置している。
このように最上段の踏板５０Ａは、その奥側端部５１Ａが支柱１０よりも奥側に張り出しており、最上段の踏板５０Ａの奥側端部５１Ａは、２段目の踏板５０Ｂの奥側端部５１Ｂよりも支柱１０から奥側に離れた位置となる。
【００３７】
以上のような第２実施例おいては、同一の踏板５０を支柱１０に対して奥行き方向にずらすことにより、最上段の踏板５０Ａと２段目の踏板５０Ｂに同じ踏板５０を用いることができるので、最上段の踏板５０Ａを別個に用意する必要がなく、部品点数を削減することができる。
また、第２実施例の踏板５０は、踏面として使用するのは上面のみであるため、下面の形状を自由に設計することができる。
【００３８】
なお、本発明は、上述の実施形態に限定されるものではなく、本発明の要旨を逸脱しない範囲において適宜の変更が可能である。上述の実施形態では、ロフトや屋根裏へ行き来するのに使用する梯子となっているが、本発明はこれに限定されるものでなく、その他の梯子にも適用することが可能である。また、本発明は、上述した実施形態の踏板の段数には当然ながら限定されず、支柱の長さや各踏板の間隔に応じて適宜変更可能である。
【産業上の利用可能性】
【００３９】
本発明は、ロフトや屋根裏へ行き来するのに使用する梯子に好適に利用できる。
【符号の説明】
【００４０】
１  梯子
１０  支柱
１１  奥側面部
１２  上側フック
１３  下側フック
１４  係止孔
１５  手すり
１６  上端カバー
１７  下端カバー
１８  支柱形材
１９  支柱カバー
２０  ネジ
２１Ａ，２１Ｂ  踏板固定用孔
２２  前側面部
３０，５０  踏板
３０Ａ，５０Ａ  最上段の踏板
３０Ｂ，５０Ｂ  ２段目の踏板
３１Ａ，３１Ｂ  奥側端部
３２  第１踏面
３３  第２踏面
３４，５１  溝
３５  第１リブ
３６  第２リブ
３７  第１ビスホール
３８  第２ビスホール
３９  第１螺合部
４０  第２螺合部
４１Ａ，４１Ｂ  前側端部
４２，６０  踏板キャップ
４３，６1  ネジ挿通孔
５２  前側端部
５３  奥側端部
５４  前側ビスホール
５５  中間ビスホール
５６  奥側ビスホール
５７  前側螺合部
５８  中間螺合部
５９  奥側螺合部
【図１】
2019190211.tif 000003
【図２】
2019190211.tif 000004
【図３】
2019190211.tif 000005
【図４】
2019190211.tif 000006
【図５】
2019190211.tif 000007
【図６】
2019190211.tif 000008
【手続補正書】
【提出日】平成30年5月17日(2018.5.17)
【手続補正１】
【補正対象書類名】明細書
【補正対象項目名】全文
【補正方法】変更
【補正の内容】
【発明の詳細な説明】
【技術分野】
【０００１】
本発明は、ロフトや屋根裏等へ行き来するのに使用する梯子に関するものである。
【背景技術】
【０００２】
建物の内部空間を有効活用するために、中二階を収納スペースとして利用するためのロフトや、天井を物置として利用するための屋根裏を設けた建物が多く建設されている。このようなロフトや屋根裏（本発明ではこれらを「階上」と総称する。）においては、階上と階下との間を行き来するために梯子が用いられている。
その種の梯子は、特許文献１に記載のように、２本の支柱と、該支柱間に所定間隔おきに架設された複数の踏板とを備えており、階上に傾斜した状態で立てかけられて使用される。
【先行技術文献】
【特許文献】
【０００３】
【特許文献１】特開２００２−２４２５６９号公報
【発明の概要】
【発明が解決しようとする課題】
【０００４】
そのような梯子においては、狭い空間でも使用できるように、一般的な階段よりもかなり急勾配となっており、特に小さな子供や老人等にとって昇降しづらいものとなっている。
そこで、梯子の勾配（傾斜角度）を緩やかにする方法が考えられるが、梯子の勾配を緩やかにすると、降段時に、階上床面から１段目（最上段）の踏板が遠くなってしまうため、階上床面から１段目に降りる際に不安感を抱いてしまう。
【０００５】
また、階上に傾斜した状態で立てかけられて使用する梯子においては、階上床面と梯子の踏板の隙間から階下の床面が見えるため、ロフトが高い位置に設けられているなど階上が高い場合には、高所から下方を見ることによって恐怖感を抱くことになり、精神的緊張を強いられつつ階下へ降りることになる。
【０００６】
本発明の目的は、使用者が安心且つ安全に昇降することができる梯子を提供することにある。
【課題を解決するための手段】
【０００７】
上記の目的を達成するために、本発明の第１の特徴は、２本の支柱と、該支柱間に所定間隔おきに架設された複数の踏板とを備えた梯子であって、昇降する側を前側とし、反対側を奥側とし、最上段の踏板は、その奥側端部が支柱よりも奥側に張り出しており、最上段の踏板の奥側端部は、２段目の踏板の奥側端部よりも支柱から奥側に離れていることにある。
【０００８】
第１の特徴によれば、最上段の踏板の奥側端部を支柱よりも奥側（階上床面側）に張り出させることにより、階上床面の端縁部から最上段の踏板が近くなるため、階上床面から最上段（１段目）に降りる際の踏み外しを低減することができる。
また、最上段の踏板の奥側端部が支柱よりも奥側に張り出しているので、階上床面の端縁部と最上段の踏板との間隔が狭くなり、階上床面と踏板の隙間から階下の床面が見えづらくなるため、階上床面から降りる際に恐怖感を抱くことなく、安心して降段することができる。
【０００９】
第２の特徴は、複数の踏板の両側端部には、支柱への固定用のネジが螺合される第１螺合部及び第２螺合部が奥行き方向に離れて設けられ、２段目の踏板は、第１螺合部を前側に第２螺合部を奥側に位置させた状態で支柱に取り付けられ、最上段の踏板は、第２螺合部を前側に第１螺合部を奥側に位置させた状態で支柱に取り付けられ、最上段の踏板の奥側端部から第１螺合部までの距離は、２段目の踏板の奥側端部から第２螺合部までの距離よりも長くされていることにある。
【００１０】
第２の特徴によれば、最上段の踏板と２段目の踏板に同じ踏板を用いて、最上段の踏板の奥側端部を、２段目の踏板の奥側端部よりも支柱から奥側に離すことができる。
【００１１】
第３の特徴は、２段目の踏板において、上面を第１踏面とし、下面を第２踏面とし、
最上段の踏板は、第２踏面を上向きにし、第１踏面を下向きにした状態で前記支柱に取り付けられていることにある。
【００１２】
第３の特徴によれば、左右方向を回転軸として踏板の上面と下面をひっくり返すことにより、最上段の踏板と２段目の踏板に同じ踏板を用いることができので、最上段の踏板を別個に用意する必要がなく、部品点数を削減することができる。
【００１３】
第４の特徴は、複数の踏板の両側端部には、支柱への固定用のネジが螺合される螺合部、中間螺合部及び奥側螺合部が、奥行き方向に所定間隔をおいて設けられ、２段目の踏板は、中間螺合部と奥側螺合部とにネジが螺合され前記支柱に取り付けられ、最上段の踏板は、前側螺合部と中間螺合部とにネジが螺合され前記支柱に取り付けられていることにある。
【００１４】
第４の特徴によれば、同一の踏板を支柱に対して奥行き方向にずらして取り付けることにより、最上段の踏板と２段目の踏板に同じ踏板を用いることができので、最上段の踏板を別個に用意する必要がなく、部品点数を削減することができる。
【発明の効果】
【００１５】
本発明によれば、階上床面と最上段（１段目）の踏板とが近くなるので、最上段の踏板から階上床面への昇段や階上床面から最上段の踏板への降段が容易になり、使用者が安心且つ安全に梯子を昇降することができる。
【図面の簡単な説明】
【００１６】
【図１】本発明に係る梯子の第１実施例を示す斜視図である。
【図２】第１実施例の側面図である。
【図３】第１実施例における支柱と最上段の踏板との取付状態を示す説明図である。
【図４】第１実施例における踏板と支柱形材を示す分解斜視図である。
【図５】第１実施例の変形例を示す分解斜視図である。
【図６】第２実施例における踏板と支柱形材を示す分解斜視図である。
【発明を実施するための形態】
【００１７】
以下、本発明に係る梯子を実施するための形態を、図面を参照して詳細に説明する。なお、以下の実施の形態においては、梯子１の昇降する側を前側とし、反対側を奥側として説明する。
＜第１実施例＞
先ずは、第１実施例について、図１から図４を参照して説明する。梯子１は、ロフトや屋根裏の階上とその階下とを行き来するのに使用する梯子の例である。梯子１は、二本の支柱１０と、該支柱１０間に所定間隔おきに架設された複数の踏板３０とを備えている。図１及び図２に示すように、本実施形態は、支柱１０間に同一の踏板３０が９段架設されている。３０Ａは最上段の踏板であり、３０Ｂは２段目の踏板である。最上段の踏板３０Ａは、その奥側端部３１Ａが支柱１０よりも奥側に張り出している。
【００１８】
支柱１０には、その奥側面部１１の上部に上側フック１２と下側フック１３が上下２段に設けられている。梯子１は、上側フック１２を階上床面の端縁部に設けられた係止孔１４に係止させ、支柱１０の下端を階下の床面に設置させることにより、傾斜した状態で立てかけられる。また、支柱１０の上部には、使用者が昇降する際に手で掴む手すり１５が設けられている。支柱１０の上端には上端カバー１６が設けられ、下端には下端カバー１７が設けられている。
【００１９】
支柱１０は、図３に示すように、外側が開放した断面略コ字状の支柱形材１８と、該支柱形材１８の開放部分を塞ぐ支柱カバー１９とを備えている。
支柱形材１８は、アルミニウムまたはアルミニウム合金等の金属製材料を押し出し成形することによって形成される。支柱形材１８には、踏板固定用孔２１Ａ，２１Ｂが、踏板３０の設置段数にあわせて穿設されている。踏板固定用孔２１Ａ，２１Ｂは、踏板３０を固定するためのネジ２０が挿通されるものであり、梯子１を傾斜した状態に立てかけたときに、階下の床面と略水平となる方向に並列して穿設されている。
【００２０】
踏板３０は、中空板状であり、アルミニウムまたはアルミニウム合金等の金属製材料を押し出し成形し、それを所要寸法に切断して形成される。
踏板３０は、左右方向を回転軸として上下にひっくり返すことにより最上段の踏板３０Ａ及び２段目の踏板３０Ｂとして利用できるようになっている。具体的には、２段目の踏板３０Ｂにおいて、上面を第１踏面３２とし、下面を第２踏面３３とすると、最上段の踏板３０Ａは、第２踏面３３を上向きにし、第１踏面３２を下向きにした状態で取り付けられる。踏板３０の第１踏面３２と第２踏面３３には、滑り止めのための溝３４が幅方向に沿って形成されている。なお、本実施例の踏板３０は、外観が点対称に形成されているが、最上段と２段目とのどちらにも利用できれば、外観が非対称に形成されていてもよい。
【００２１】
図２に示すように、２段目の踏板３０Ｂは、その奥側端部３１Ｂが支柱１０の奥側面部１１の近傍に位置する（３段目以降の踏板３０も同様である）。これに対して、最上段の踏板３０Ａは、その奥側端部３１Ａが支柱１０の奥側面部１１から奥側に大きく突き出して、２段目の踏板３０Ｂの奥側端部３１Ｂよりも支柱１０から奥側に離れている。このように、最上段の踏板３０Ａは、その奥側端部３１Ａと支柱１０の奥側面部１１との距離が、２段目の踏板３０Ｂの奥側端部３１Ｂと支柱１０の奥側面部１１との距離よりも長くされている。
また、最上段の踏板３０Ａは、その前側端部４１Ａが支柱１０の前側面部２２の近傍に位置する。これに対して、２段目の踏板３０Ｂは、その前側端部４１Ｂが支柱１０の前側面部２２から前側に大きく突き出して、最上段の踏板３０Ａの前側端部４１Ａよりも支柱１０の前側面部２２から前側に離れている（３段目以降の踏板３０も同様である）。
【００２２】
踏板３０の内部には、踏板３０の上下に伸びる第１リブ３５及び第２リブ３６が踏板３０の幅方向に連続して設けられており、第１リブ３５と第２リブ３６により踏板３０の内部が３室に区画されている。図４に示す２段目の踏板３０Ｂにおいては、第１リブ３５は、奥行き方向の中間近傍に設けられており、第２リブ３６は、奥側端部３１Ｂの近傍に設けられている。
【００２３】
また、踏板３０の内部には、踏板３０の幅方向に連続する第１ビスホール３７及び第２ビスホール３８が設けられている。図４に示す２段目の踏板３０Ｂにおいては、第１ビスホール３７は、第１リブ３５と下面が交わる位置に設けられており、第２ビスホール３８は、第２リブ３６と上面が交わる位置に設けられている。第１ビスホール３７と第２ビスホール３８との距離は、２つの踏板固定用孔２１Ａ，２１Ｂとの距離とほぼ等しくしている。そして、第１ビスホール３７の両側端部は、支柱１０への固定用のネジ２０が螺合される第１螺合部３９となり、第２ビスホール３８の両側端部は、支柱１０への固定用のネジ２０が螺合される第２螺合部４０となっている。
【００２４】
図４に示すように、支柱１０に取り付けられる状態の２段目の踏板３０Ｂにおいては、第１螺合部３９（第１ビスホール３７）は、奥行き方向の中間近傍の位置にあり、第２螺合部４０（第２ビスホール３８）は、奥行き方向の奥側、即ち奥側端部３１Ｂの近傍の位置にある。そして、最上段の踏板３０Ａにおいては、前記２段目の踏板３０Ｂの状態から左右方向を回転軸として上下にひっくり返した状態で支柱１０に取り付けられるため、第１螺合部３９は、奥行き方向の中間近傍の位置にあり、第２螺合部４０は、奥行き方向の前側、即ち前側端部４１Ａの近傍の位置にある。２段目の踏板３０Ｂにおいては、奥側端部３１Ｂからその最寄りにある第２螺合部４０までの距離が、前側端部４１Ｂからその最寄りにある第１螺合部３９までの距離よりも短くなっている。これに対して、最上段の踏板３０Ａは、奥側端部３１Ａからその最寄りにある第１螺合部３９までの距離が、前側端部４１Ａからその最寄りにある第２螺合部４０までの距離よりも長くなっている。したがって、最上段の踏板３０Ａにおいては、最上段の踏板３０Ａの奥側端部３１Ａから第１螺合部３９までの距離が、２段目の踏板３０Ｂの奥側端部３１Ｂから第２螺合部４０までの距離よりも長くなっている。
【００２５】
踏板３０の両側端部には、踏板３０の開口部を塞ぐ踏板キャップ４２が装着されている。踏板キャップ４２には、支柱固定用のネジ２０を挿通するネジ挿通孔４３が第１螺合部３９及び第２螺合部４０と対応する位置に設けられている。本実施例では、何れの踏板３０の両側端部にも踏板キャップ４２を用いることができるよう、４つのネジ挿通孔４３が踏板キャップ４２に設けられている。
【００２６】
次に、第１実施例における踏板を梯子の最上段と２段目に取り付ける状態について、図４を参照して説明する。なお、３段目以降の踏板３０の取り付けは、２段目の踏板３０Ｂと同様であるため説明を省略する。
２段目の踏板３０Ｂは、前側の踏板固定用孔２１Ａから第１螺合部３９にネジ２０が螺合され、奥側の踏板固定用孔２１Ｂから第２螺合部４０にネジ２０が螺合されて、第１螺合部３９を前側に第２螺合部４０を奥側に位置させた状態で支柱形材１８に取り付けられる。このようにして取り付けられた２段目の踏板３０Ｂおいては、上面が第１踏面３２となり、下面が第２踏面３３となっている。
【００２７】
そして、最上段の踏板３０Ａは、第２踏面３３を上向きにし、第１踏面３２を下向きにした状態で、前側の踏板固定用孔２１Ａから第２螺合部４０にネジ２０が螺合され、奥側の踏板固定用孔２１Ｂから第１螺合部３９にネジ２０が螺合されて、第２螺合部４０を前側に第１螺合部３９を奥側に位置させた状態で支柱形材１８に取り付けられる。
上記最上段の踏板３０Ａは、その奥側端部３１Ａが支柱１０よりも奥側に張り出しており、最上段の踏板３０Ａの奥側端部３１Ａは、２段目の踏板３０Ｂの奥側端部３１Ｂよりも支柱１０から奥側に離れた位置となる。
【００２８】
以上のように構成された梯子１においては、最上段の踏板３０Ａの奥側端部３１Ａが支柱１０よりも奥側に張り出しているので、階上床面の端縁部から最上段の踏板３０Ａが近くなり、階上床面から最上段の踏板３０Ａに降りる際の踏み外しを低減することができる。
また、階上床面の端縁部から最上段の踏板３０Ａが近くなるため、階上床面の端縁部と最上段の踏板３０Ａの奥側端部３１Ａとの隙間から階下の床面が見えづらくなり、階上床面から降りる際に恐怖感を抱くことなく、安心して降段することができる。
【００２９】
そして、第１実施例においては、左右方向を回転軸として踏板３０の上面と下面をひっくり返すことにより、最上段の踏板３０Ａと２段目の踏板３０Ｂに同じ踏板３０を用いることができるので、最上段の踏板３０Ａを別個に用意する必要がなく、部品点数を削減することができる。
また、第１実施例の踏板３０は、第１螺合部３９と第２螺合部４０の２つの螺合部で、同一の踏板３０を支柱１０に対して奥行き方向に位置をずらした状態で取り付けることができ、別途に螺合部を設ける必要がないため、踏板３０を軽量化することができる。
【００３０】
＜変形例＞
第１実施例の変形例について、図５を参照して説明する。第１実施例では、同一の踏板３０について左右方向を回転軸として上下にひっくり返すことにより、最上段の踏板３０Ａと２段目の踏板３０Ｂとのいずれにも用いている。変形例では、同一の踏板３００について上下をひっくり返さずに前後を入れ替えることにより、最上段の踏板３００Ａと２段目の踏板３００Ｂとのいずれにも用いている。
なお、上述の第１実施例では、２つの踏板固定孔２１Ａ，２１Ｂが、踏板３０毎に支柱１０の長手方向に並列して設けられているが、本変形例では、最上段の踏板３００Ａが２段目の踏板３００Ｂと平行になるよう、支柱１０における最上段用の踏板固定孔２１Ａ，２１Ｂの位置が上述の第１実施例から変更されている。
【００３１】
変形例における踏板を梯子の最上段と２段目に取り付ける状態について説明する。２段目の踏板３００Ｂは、第１踏面３２が上向きで、第１螺合部３９が前側に位置し、第２螺合部４０が奥側に位置するように配置される。そして、前側の踏板固定用孔２１Ａから第１螺合部３９にネジ２０が螺合され、奥側の踏板固定用孔２１Ｂから第２螺合部４０にネジ２０が螺合されて、２段目の踏板３００Ｂが支柱形材１８に取り付けられる。
これに対し、最上段の踏板３００Ａは、２段目の踏板３０Ｂと同様に第１踏面３２が上向きであるが、２段目の踏板３０Ｂとは前後を入れ替えられて、第２螺合部４０が前側に位置し、第１螺合部３９が奥側に位置するように配置される。そして、前側の踏板固定用孔２１Ａから第２螺合部４０にネジ２０が螺合され、奥側の踏板固定用孔２１Ｂから第１螺合部３９にネジ２０が螺合されて支柱形材１８に取り付けられる。
このように、変形例の踏板３００は、踏面として使用するのが上面（第１踏面３２）のみであるため、第１実施例よりも下面側（第２踏面３３側）の形状を自由に設計することができる。
【００３２】
＜第２実施例＞
第２実施例について、図６を参照して説明する。第２実施例の梯子は、上記第１実施例と踏板以外において変わるところがないため、以下、第１実施例と異なる踏板を中心に説明することとし、第１実施例と同一の構成については同一の符号を付し、その詳細は第１実施例の説明を援用する。第２実施例においては、図３に示す踏板３０に代えて、図６に示す踏板５０が用いられる。
図６中、５０Ａは最上段の踏板であり、５０Ｂは２段目の踏板である。最上段の踏板５０Ａと２段目の踏板５０Ｂは、同一の踏板５０が用いられる。各踏板５０の上面には、滑り止めのための溝５１が幅方向に沿って形成されている。
【００３３】
踏板５０の内部には、上下に伸びる３つリブが踏板５０の幅方向に連続して設けられている。３つのリブのうち、前側端部５２の近傍に位置するのが前側リブであり、奥行方向の中間部にするのが中間リブであり、奥側端部の近傍に位置するのが奥側リブである。また、前側リブ、中間リブ及び奥側リブには、それぞれ前側ビスホール５４、中間ビスホール５５及び奥側ビスホール５６が踏板５０の幅方向に連続して設けられている。
【００３４】
各踏板５０内部の両側端部には、ネジ２０が螺合される前側螺合部５７、中間螺合部５８及び奥側螺合部５９が設けられている。本実施例では、前側ビスホール５４の両側端部が前側螺合部５７となり、中間ビスホール５５の両側端部が中間螺合部５８となり、奥側ビスホール５６の両側端部が奥側螺合部５９となっている。
前側螺合部５７から中間螺合部５８までの距離と、中間螺合部５８から奥側螺合部５９までの距離とをほぼ等しくしている。また、前側螺合部５７から中間螺合部５８までの距離及び中間螺合部５８から奥側螺合部５９までの距離は、２つの踏板固定用孔２１Ａ，２１Ｂとの距離とほぼ等しくしている。
【００３５】
踏板５０の両側端部には、踏板５０の開口部を塞ぐ踏板キャップ６０が装着されている。踏板キャップ６０には、ネジ２０を挿通するネジ挿通孔６１が前側螺合部５７と中間螺合部５８、または中間螺合部５８と奥側螺合部５９に対応する位置に設けられている。また、踏板キャップ６０は、前後の向きを入れ替えることにより何れの踏板５０にも装着することが可能である。
【００３６】
次に、第２実施例における踏板を梯子の最上段と２段目に取り付ける状態について説明する。２段目の踏板５０Ｂは、前側の踏板固定用孔２１Ａから中間螺合部５８にネジ２０が螺合され、奥側の踏板固定用孔２１Ｂから奥側螺合部５９にネジ２０が螺合されて支柱形材１８に取り付けられる。また、２段目の踏板５０Ｂは、奥側端部５３が支柱１０の奥側面部１１の近傍に位置し、前側端部５２が支柱１０の前側面部２２から前側に大きく突き出している。
そして、最上段の踏板５０Ａは、前側の踏板固定用孔２１Ａから前側螺合部５７にネジ２０が螺合され、奥側の踏板固定用孔２１Ｂから中間螺合部５８にネジ２０が螺合されて支柱形材１８に取り付けられる。また、最上段の踏板５０Ａは、奥側端部５３が支柱１０の奥側面部１１から奥側に大きく突き出し、前側端部５２が支柱１０の前側面部２２の近傍に位置している。
このように最上段の踏板５０Ａは、その奥側端部５１Ａが支柱１０よりも奥側に張り出しており、最上段の踏板５０Ａの奥側端部５１Ａは、２段目の踏板５０Ｂの奥側端部５１Ｂよりも支柱１０から奥側に離れた位置となる。
【００３７】
以上のような第２実施例おいては、同一の踏板５０を支柱１０に対して奥行き方向にずらすことにより、最上段の踏板５０Ａと２段目の踏板５０Ｂに同じ踏板５０を用いることができるので、最上段の踏板５０Ａを別個に用意する必要がなく、部品点数を削減することができる。
また、第２実施例の踏板５０は、踏面として使用するのは上面のみであるため、下面の形状を自由に設計することができる。
【００３８】
なお、本発明は、上述の実施形態に限定されるものではなく、本発明の要旨を逸脱しない範囲において適宜の変更が可能である。上述の実施形態では、ロフトや屋根裏へ行き来するのに使用する梯子となっているが、本発明はこれに限定されるものでなく、その他の梯子にも適用することが可能である。また、本発明は、上述した実施形態の踏板の段数には当然ながら限定されず、支柱の長さや各踏板の間隔に応じて適宜変更可能である。
【産業上の利用可能性】
【００３９】
本発明は、ロフトや屋根裏へ行き来するのに使用する梯子に好適に利用できる。
【符号の説明】
【００４０】
１  梯子
１０  支柱
１１  奥側面部
１２  上側フック
１３  下側フック
１４  係止孔
１５  手すり
１６  上端カバー
１７  下端カバー
１８  支柱形材
１９  支柱カバー
２０  ネジ
２１Ａ，２１Ｂ  踏板固定用孔
２２  前側面部
３０，５０  踏板
３０Ａ，５０Ａ  最上段の踏板
３０Ｂ，５０Ｂ  ２段目の踏板
３１Ａ，３１Ｂ  奥側端部
３２  第１踏面
３３  第２踏面
３４，５１  溝
３５  第１リブ
３６  第２リブ
３７  第１ビスホール
３８  第２ビスホール
３９  第１螺合部
４０  第２螺合部
４１Ａ，４１Ｂ  前側端部
４２，６０  踏板キャップ
４３，６1  ネジ挿通孔
５２  前側端部
５３  奥側端部
５４  前側ビスホール
５５  中間ビスホール
５６  奥側ビスホール
５７  前側螺合部
５８  中間螺合部
５９  奥側螺合部